(57)【要約】【課題】整理収納棚周りの配線や小物を簡素化できるユニバーサルシリアルバス用ハブ１０を提供する。【解決手段】整理収納棚１００に設置可能なユニバーサルシリアルバス用ハブ１０は、整理収納棚１００の天板１０１の折り返し部を、ベース部材２とそのベース部材２から延び出たガイド部材２６とにより挟んで固定される。そのガイド部材２６には、整理収納棚１００の奥行き方向にスライド移動可能な端子箱１を取り付ける。端子箱１には支持板１２がせり出しており整理収納棚１００の折り返し部との間にクレイドルを形成するようになっている。その端子箱１の奥行方向への移動は移動幅規制手段１６、２２によって規制されており、クレイドルが収納可能となっている。【選択図】図２
2019096016.tif 000002
【特許請求の範囲】
【請求項１】
整理収納棚に設置可能なユニバーサルシリアルバス用ハブであって、
前記整理収納棚の天板の下に取り付け可能なベース部材と、
前記ベース部材から延び出たガイド部材と、
前記ガイド部材に案内されて前記整理収納棚の奥行き方向にスライド移動可能な端子箱と、
前記端子箱の前面に設けられ上方に伸び出た支持板と、
前記端子箱の奥行方向への移動範囲を規制して前記支持板と前記天板との間に所定幅の間隙を生ずる移動幅規制手段と、
を有することを特徴とするユニバーサルシリアルバス用ハブ。
【請求項２】
前記移動幅規制手段は、前記ベース部材から延び出た板バネ部の先端に設けられた突起と、前記突起と係合する移動幅規制溝と、を有することを特徴とする請求項１に記載のユニバーサルシリアルバス用ハブ。
【請求項３】
前記移動幅規制溝には、前記板バネ部の先端の突起と接触することで前記支持板と天板との間隙を閉じた状態に移動した状態に付勢する第１の突起部と、前記端子箱の支持板と天板との間隙を前記所定幅の間隙を生じた状態に付勢する第２の突起部とを備えることを特徴とする請求項２に記載のユニバーサルシリアルバス用ハブ。
【請求項４】
前記端子箱は、前記支持板及び端子箱の一部を切り欠いてなる配線保持部を有することを特徴とする請求項３に記載のユニバーサルシリアルバス用ハブ。
【発明の詳細な説明】
【技術分野】
【０００１】
本発明は、机上に設置する収納棚や小机に取り付けて使用するユニバーサルシリアルバス用ハブに関する。
【背景技術】
【０００２】
従来より、パソコンやディスプレイを天板に乗せて使用する机上用の整理収納棚が提案されている。
【０００３】
このような整理収納棚としては、後付けで引出しを取り付け可能としたものもある（非特許文献１）。
【先行技術文献】
【特許文献】
【０００４】
【特許文献１】特開２０１４−９１０３０号公報
【特許文献２】特開２０１５−７６８９５号公報
【特許文献３】特開２００３−２６３２５２号公報
【非特許文献】
【０００５】
【非特許文献１】“リヒトラブホームページ”［２０１７年１０月２３日検索］、インターネット（ＵＲＬ：http://www.lihit-lab.com/products/catalog/A-7338.html）
【発明の概要】
【発明が解決しようとする課題】
【０００６】
従来の机上用の整理収納棚では、コンピューターにＵＳＢ接続する周辺機器を複数取り付けた際に配線が込み合ってしまうという問題がある。また、スマートフォンやタブレット端末などの充電を行う場合に、画面を見やすいように立てた状態に保つためには、整理収納棚の上にクレイドルなどの小物を設置する必要があり、整理収納棚周りが雑然としてしまうという問題がある。
【０００７】
そこで、本発明は、整理収納棚周りの配線や小物を簡素化できるユニバーサルシリアルバス用ハブを提供することを目的とする。
【課題を解決するための手段】
【０００８】
本発明によれば、整理収納棚に設置可能なユニバーサルシリアルバス用ハブであって、前記整理収納棚の棚板の下に取り付け可能なベース部材と、前記ベース部材から延び出たガイド壁と、前記ガイド壁に案内されて前記整理収納棚の奥行き方向にスライド移動可能な端子箱と、前記端子箱の前面に設けられ上方に伸び出た支持板と、前記端子箱の奥行方向への移動範囲を規制して前記支持板と前記棚板との間に所定幅の間隙を生ずる移動幅規制手段と、を有することを有するユニバーサルシリアルバス用ハブが提供される。
【図面の簡単な説明】
【０００９】
【図１】図１は実施形態に係るユニバーサルシリアルバス用ハブを机上用の整理収納棚に取り付けた状態で示す斜視図である。
【図２】図２は、実施形態に係るユニバーサルシリアルバス用ハブの端子箱を取り外した状態で示す斜視図である。
【図３】図３（ａ）及び図３（ｂ）は、図２のベース部材の構造を示す斜視図である。
【図４】図４は、図３のベース部材を整理収納棚の天板に取り付けた際の断面図である。
【図５】図５は、図２のユニバーサルシリアルバス用ハブを天板に取り付けた際の断面図である。
【図６】図６は、図２のユニバーサルシリアルバス用ハブをタブレット端末のクレイドルとして使用した例を示す斜視図である。
【発明を実施するための形態】
【００１０】
以下、添付の図面を参照しつつ、本発明の実施形態について説明する。
【００１１】
図１は、本発明の実施形態に係るユニバーサルシリアルバス用ハブ１０を、整理収納棚１００に取り付けた状態で示す斜視図である。
【００１２】
本実施形態のユニバーサルシリアルバス用ハブ１０は、整理収納棚１００の天板１０１の下に取り付けて使用する。
【００１３】
その取り付け対象となる整理収納棚１００は、天板１０１の両側部に脚部１０２を取り付けたものであり、机上に設置してディスプレイやコンピューターなどを載置して使用する。また、天板１０１の下はキーボードやマウスを収納するスペースとなる。天板１０１は、金属板を曲げ加工して形成されたものであり、ユニバーサルシリアルバス用ハブ１０を取り付ける手前側の端部は内側に向けて折り曲げ加工がなされている。
【００１４】
後述するように、ユニバーサルシリアルバス用ハブ１０は、天板１０１の手前側の折り曲げ加工された部分に取り付けられる。
【００１５】
図２は、実施形態に係るユニバーサルシリアルバス用ハブ１０の端子箱を取り外した状態で示す斜視図である。ユニバーサルシリアルバス用ハブ１０は、図示の向きで整理収納棚１００に取り付けられる。
【００１６】
図示のように、ユニバーサルシリアルバス用ハブ１０は、整理収納棚１００の天板１０１に取り付けるためのベース部材２と、ベース部材２に取り付けられる端子箱１とを備えている。
【００１７】
ベース部材２は、天板１０１の下面に固定される部分であり、台座部２０と台座部２０にねじ止めされるガイド部材２６とを有している。台座部２０には、上方に伸び出たリブ２１が設けられており、そのリブ２１によって台座部２０の内部は３つの区画に分かれている。そのうち、真ん中の区画には、コの字型に伸びた切欠溝２２ａが形成されており、その切欠溝２２ａによって分離された部分が板バネ部２２となっている。板バネ部２２は、先端部が上下方向に弾性変形可能となっており、その板バネ部２２の下側の面には端子箱１の可動範囲を規制する突起２２ｂ（図３（ｂ）参照）が設けられている。
【００１８】
また、ベース部材２の台座部２０の両側部の２つの区画には、それぞれネジ止部２３が設けられている。
【００１９】
台座部２０の手前側の部分には、幅方向に伸びた溝２５が設けられており、その溝２５の手前側には整理収納棚１００の折返部１０１ａ（図４参照）に噛み込む爪部２４が形成されている。
【００２０】
台座部２０の下側の面には、奥行き方向に伸びたコの字型のガイド部材２６が一対取り付けられている。これらのガイド部材２６は、ネジ止部２３においてネジ止めされている。そのガイド部材２６の上部には、溝２５に挿入される押圧リブ２７が設けられている。
【００２１】
一対のガイド部材２６は、コの字型のガイドレールを内側に向けて取り付けられたものであり、そのガイドレールの間に端子箱１が挿入可能となっている。
【００２２】
一方、端子箱１は、回路基板を収容する箱状の筐体１１を備えている。筐体１１は、ガイド部材２６のガイドレールの幅とほぼ等しい幅に形成されており、ガイド部材２６に案内されて奥行き方向に移動可能な状態で挿入される。
【００２３】
その筐体１１の上面には、移動幅規制手段を構成する移動幅規制溝１６が設けられている。移動幅規制溝１６は、ガイド部材２６の板バネ部２２の突起２２ｂ（図３参照）に対応する部分に設けられており、移動幅規制溝１６の側壁が板バネ部２２の突起２２ｂと当接することによって、端子箱１の手前側への移動範囲を規制する。また、移動幅規制溝１６の内側には、突起部１６ａ、１６ｂが設けられている。これらの突起部１６ａ、１６ｂは、後述するように、筐体１１を開いたとき又は収納したときに筐体１１を付勢するものであり、筐体１１のガタツキを抑えることができる。
【００２４】
また、筐体１１の手前側の面は、支持板１２が設けられている。支持板１２は、筐体１１の上面よりも上に伸び出ており、整理収納棚１００の手前側の折り曲げ加工部分である折返部１０１ａと対向するように形成されている。端子箱１を奥側へ移動させると支持板１２が整理収納棚１００の折返部１０１ａに当たる。これにより、支持板１２によって端子箱１の奥方向への移動範囲が規制される。
【００２５】
また、支持板１２には、複数の端子口１５が設けられており、その端子口１５に配線プラグを接続することができる。
【００２６】
なお、筐体１１の背面にもパーソナルコンピューターなどの電子機器に接続可能な端子口１７（図５参照）が設けられている。
【００２７】
また、筐体１１の前面中央部には、その一部を切り欠いてなる配線保持部１３が設けられている。その配線保持部１３は、支持板１２の中央の切欠部１４と繋がっている。これにより、端子口１５に接続した配線を切欠部１４を通すことができ、その配線を通じて支持板１２と折返部１０１ａとの間に立てたスマートフォンやタブレット端末に給電することができる。
【００２８】
以下、図３及び図４を参照しつつ、ベース部材２の整理収納棚１００への固定方法について説明する。
【００２９】
図３（ａ）及び図３（ｂ）は、図２のベース部材２の構造を示す斜視図であり、図４は図３のベース部材２を整理収納棚１００の天板１０１に取り付けた際の断面図である。なお、図３（ａ）及び図３（ｂ）は、説明の便宜のためにユニバーサルシリアルバス用ハブ１０の取付状態（図２の配置）から逆さまにした状態で示している。また、図４は図３（ｂ）のＡＡ線に沿った断面に対応している。
【００３０】
図３（ａ）に示すように、ベース部材２の台座部２０とガイド部材２６とを分離した状態で整理収納棚１００への取り付けを開始する。
【００３１】
まず、台座部２０を天板１０１に対して斜めに傾けつつ、折返部１０１ａ（図４参照）の隙間に爪部２４を差し込み、そのまま台座部２０を天板１０１の底面と平行に接触するように倒し込む。
【００３２】
これにより、図４のように台座部２０の爪部２４が天板１０１の折返部１０１ａの内部に噛み込んだ状態となる。
【００３３】
この状態では、台座部２０を折返部１０１ａに沿って整理収納棚１００の幅方向に自由にスライドさせることができ、使用者は好みの位置に台座部２０を移動させることができる。
【００３４】
次に、図３（ｂ）に示すように、ガイド部材２６を台座部２０に取り付けてネジ２８によって固定する。このとき、ガイド部材２６の押圧リブ２７を台座部２０の溝２５に押し込む。
【００３５】
これにより、図４に示すように、天板１０１の折返部１０１ａの先端部が押圧リブ２７によって押圧され、爪部２４と押圧リブ２７とによって折返部１０１ａの先端部が挟まれた状態となる。これにより、台座部２０が天板１０１の下面に接触した状態で固定される。ネジ２８を締め込むことにより、ガイド部材２６が台座部２０に押し付けられ、押圧リブ２７が更に押し込まれて、台座部２０がより強固に固定される。
【００３６】
これにより、ベース部材２の整理収納棚１００への取り付けが完了する。
【００３７】
次に、図２に示した向きに配置した端子箱１をガイド部材２６の間にスライドさせるようにして押し込む。これにより、板バネ部２２の突起２２ａが端子箱１の移動幅規制溝１６の中に噛み合う。以上により、整理収納棚１００へのユニバーサルシリアルバス用ハブ１０の取り付けが完了する。
【００３８】
以下、図５及び図６を参照しつつ、ユニバーサルシリアルバス用ハブ１０の端子箱１の動作について説明する。図５（ａ）及び図５（ｂ）は図２のユニバーサルシリアルバス用ハブ１０を天板１０１に取り付けた際の断面図であり、図５（ａ）は端子箱１を収納した状態を示し、図５（ｂ）は端子箱１を引き出した状態を示す。なお、図５（ａ）及び図５（ｂ）は図３（ｂ）のＢＢ線の断面に対応する。また、図６は、図２のユニバーサルシリアルバス用ハブ１０をタブレット端末９０のクレイドルとして使用した例を示す斜視図である。
【００３９】
図５（ａ）に示すように、端子箱１を押し込むと、支持板１２が天板１０１の折返部１０１ａに当った状態で停止し、端子箱１の筐体１１の上面と支持板１２とで形成されるクレイドルが収納された状態となる。
【００４０】
この状態では、板バネ部２２の突起２２ｂが移動幅規制溝１６の手前側に形成されたかまぼこ型の第１の突起部１６ａと接触した状態となっている。このとき、突起２２ｂは、第１の突起部１６ａの斜面１６ｆを押圧することにより、端子箱１を奥行き方向に付勢している。その結果、端子箱１は奥行き方向に押し付けられた状態に保たれ、ガタつくことなくいその状態に保たれる。
【００４１】
一方、端子箱１を所定距離だけ引き出すと、図５（ｂ）に示すように、突起２２ｂが移動幅規制溝１６の奥側の側壁１６ｇに当たることでそれ以上引き出せない状態となる。このとき、図示のように第２の突起部１６ｂが突起２２ｂの傾斜面２２ｆと接触することで端子箱１が手前側に付勢された状態となる。その結果、端子箱１が引き出された状態に保たれ、ガタツキを抑制できる。
【００４２】
図５（ｂ）の状態では、端子箱１の筐体１１の上面と支持板１２と天板１０１の折返部１０１ａとの間に溝状部分よりなるクレイドルが現れる。
【００４３】
このようにして現れたクレイドルには、図６に示すように、タブレット端末９０（スマートフォン）などを立てかけた状態で載置することができる。そして、タブレット端末９０に接続された配線９１を端子口１５に差し込むことで、タブレット端末９０への充電やパソコンを通じたタブレット端末９０の操作を行うことができる。
【００４４】
以上のように、実施形態に係るユニバーサルシリアルバス用ハブ１０によれば、不要な時は収納して置けるクレイドルとして機能するため、別途クレイドルを整理収納棚周りに置く必要がなくなる。
【００４５】
これにより、ユニバーサルシリアルバス用ハブ１０によれば、整理収納棚１００周りの配線や小物を簡素化でき、机上での事務作業をより快適なものとすることができる。
【符号の説明】
【００４６】
１…端子箱、２…ベース部材、１０…ユニバーサルシリアルバス用ハブ、１１…筐体、１２…支持板、１３…配線保持部、１４…切欠部、１５、１７…端子口、１６…移動幅規制溝、１６ａ、１６ｂ…突起部、１８…回路基板、２０…台座部、２１…リブ、２２…板バネ部、２２ｂ…突起、２３…ネジ止部、２４…爪部、２５…溝、２６…ガイド部材、２７…押圧リブ、２８…ネジ、１００…整理収納棚、９０…タブレット端末、９１…配線、１０１…天板、１０２…脚部。
【図１】
2019096016.tif 000003
【図２】
2019096016.tif 000004
【図３】
2019096016.tif 000005
【図４】
2019096016.tif 000006
【図５】
2019096016.tif 000007
【図６】
2019096016.tif 000008